(57)【要約】  本願の実施例は、チャネル送信のためのリソース使用の柔軟性を改善することができる無線通信方法和装置を提供する。該方法は、端末装置が、スケジューリングリソースのリソースインデックスを指示するためのＤＣＩにおける複数の指示ビットの指示フォーマットを決定することであって、前記指示フォーマットは、複数の指示ビットにおけるビット数Ｋを限定するために使用され、前記ビット数Ｋは、スケジューリングリソースに対応するリソース集合、又はスケジューリングリソースに対応するリソースタイプ、又はスケジューリングリソースに対応するチャネルフォーマットを指示するために使用され、Ｋは０以上の整数であることと、端末装置が決定された指示フォーマットに基づき、ＤＣＩから、複数の指示ビットが指示したリソースインデックスを決定することと、端末装置が、決定されたリソースインデックスに従って、少なくとも１つの利用可能なリソースから、ネットワーク装置と通信するスケジューリングリソースを決定することと、を含む。
2021503209.tif 000002
【特許請求の範囲】
【請求項１】
無線通信方法であって、
端末装置が、スケジューリングリソースのリソースインデックスを指示するためのダウンリンク制御情報（ＤＣＩ）における複数の指示ビットの指示フォーマットを決定することであって、前記指示フォーマットは、複数の指示ビットにおけるビット数Ｋを限定するために使用され、前記ビット数Ｋは、スケジューリングリソースに対応するリソース集合、又はスケジューリングリソースに対応するリソースタイプ、又はスケジューリングリソースに対応するチャネルフォーマットを指示するために使用され、Ｋは０以上の整数であることと、
前記端末装置が、決定された前記指示フォーマットに基づいて、前記ＤＣＩから、前記複数の指示ビットが指示したリソースインデックスを決定することと、
前記端末装置が、決定された前記リソースインデックスに従って、少なくとも１つの利用可能なリソースから、前記ネットワーク装置と通信する前記スケジューリングリソースを決定することと、を含むことを特徴とする、前記無線通信方法。
【請求項２】
前記Ｋは１以上であり、前記複数の指示ビットは、少なくとも１つの第１のビットと少なくとも１つの第２のビットで構成され、
前記第１のビットは、前記スケジューリングリソースに対応するリソース集合のインデックス、前記スケジューリングリソースに対応するリソースタイプのインデックス、又は前記スケジューリングリソースに対応するチャネルフォーマットのインデックスを指示するために使用され、
前記第２のビットは、対応するリソース集合における前記スケジューリングリソースのインデックス、対応するリソースタイプに対応するリソース集合における前記スケジューリングリソースのインデックス、又は対応するチャネルフォーマットに対応するリソース集合における前記スケジューリングリソースのインデックスを指示するために使用され、
前記リソース集合は少なくとも１つの利用可能なリソースを含むことを特徴とする
請求項１に記載の方法。
【請求項３】
前記Ｋは０に等しく、前記複数の指示ビットは、すべての利用可能なリソースにおける前記スケジューリングリソースのインデックスを指示するために使用される第３のビットで構成されることを特徴とする
請求項１に記載の方法。
【請求項４】
前記端末装置が前記ネットワーク装置から送信された、前記指示フォーマットを指示するために使用される第１の情報を受信することをさらに含むことを特徴とする
請求項１〜３のいずれか１項に記載の方法。
【請求項５】
前記第１の情報は、無線リソース制御（ＲＲＣ）メッセージ又はシステム情報又はブロードキャストチャネルに含まれることを特徴とする
請求項４に記載の方法。
【請求項６】
前記端末装置が、スケジューリングリソースのリソースインデックスを指示するためのダウンリンク制御情報（ＤＣＩ）における複数の指示ビットの指示フォーマットを決定することは、
前記端末装置が利用可能なリソースのリソースインデックスの設定形態に基づいて前記指示フォーマットを決定することを含むことを特徴とする
請求項１〜３のいずれか１項に記載の方法。
【請求項７】
前記利用可能なリソースのリソースインデックスが、少なくとも２つのリソース集合又は少なくとも２つのチャネルフォーマット又は少なくとも２つのリソースタイプに応じてそれぞれ設定される場合、前記Ｋは１以上であり、前記少なくとも２つのリソース集合又は前記少なくとも２つのチャネルフォーマット又は前記少なくとも２つのリソースタイプのリソースインデックスの間に少なくとも１つの同一のリソースインデックスを有し、又は、
前記利用可能なリソースのリソースインデックスが、少なくとも２つのリソース集合又は少なくとも２つのチャネルフォーマット又は少なくとも２つのリソースタイプに応じてそれぞれ設定されない場合、前記Ｋは０に等しく、前記利用可能なリソースには同一のリソースインデックスがないことを特徴とする
請求項６に記載の方法。
【請求項８】
前記端末装置が、スケジューリングリソースのリソースインデックスを指示するためのダウンリンク制御情報（ＤＣＩ）における複数の指示ビットの指示フォーマットを決定することは、
前記端末装置が利用可能なリソースの少なくとも２つのリソース集合又は少なくとも２つのチャネルフォーマット又は少なくとも２つのリソースタイプに含まれるリソースの数の関係に基づいて、前記指示フォーマットを決定することを含むことを特徴とする
請求項１〜３のいずれか１項に記載の方法。
【請求項９】
前記少なくとも２つのリソース集合又は前記少なくとも２つのチャネルフォーマット又は前記少なくとも２つのリソースタイプに含まれるリソースの数が同じである場合、前記Ｋは１以上であり、又は、
前記少なくとも２つのリソース集合又は前記少なくとも２つのチャネルフォーマット又は前記少なくとも２つのリソースタイプに含まれるリソースの数が同一ではない場合、前記Ｋは０に等しいことを特徴とする
請求項８に記載の方法。
【請求項１０】
前記少なくとも２つのリソース集合又は前記少なくとも２つのチャネルフォーマット又は前記少なくとも２つのリソースタイプに含まれるリソースの数がいずれも２Ｍ／Ｎ以下である場合、前記Ｋは１以上であり、Ｎはリソース集合又はリソースタイプ又はチャネルフォーマットの数であり、Ｍは前記複数の指示ビットのビット数であり、又は、
前記少なくとも２つのリソース集合又は前記少なくとも２つのチャネルフォーマット又は前記少なくとも２つのリソースタイプには、２Ｍ／Ｎより大きい数のリソースが含まれるリソース集合又はチャネルフォーマット又はリソースタイプが少なくとも１つ存在する場合、前記Ｋは０に等しいことを特徴とする
請求項８に記載の方法。
【請求項１１】
前記端末装置が利用可能なリソースの少なくとも２つのリソース集合又は少なくとも２つのチャネルフォーマット又は少なくとも２つのリソースタイプに含まれるリソースの数の関係に基づいて、前記指示フォーマットを決定することは、
前記少なくとも２つのリソース集合又は少なくとも２つのチャネルフォーマット又は少なくとも２つのリソースタイプを特定の組合せに組み合わせる組合せの数Ｓを決定することであって、前記特定の組合せのリソースの数は２Ｍ／Ｓ以下であり、Ｍは前記複数の指示ビットのビット数であることと、
前記数Ｓに基づいて前記Ｋを決定することと、を含むことを特徴とする
請求項８に記載の方法。
【請求項１２】
前記少なくとも２つのリソース集合は、フォーマット０に対応する物理アップリンク制御チャンネル（ＰＵＣＣＨ）リソース集合と、フォーマット１に対応するＰＵＣＣＨリソース集合と、を含み、又は、
前記少なくとも２つのリソース集合は、フォーマット２に対応するＰＵＣＣＨリソース集合と、フォーマット３に対応するＰＵＣＣＨリソース集合と、フォーマット４に対応するＰＵＣＣＨリソース集合と、を含むことを特徴とする
請求項７〜１１のいずれか１項に記載の方法。
【請求項１３】
前記端末装置が前記ネットワーク装置から送信された、利用可能なリソース及び対応するリソースインデックスを構成するために使用される第２の情報を受信することをさらに含むことを特徴とする
請求項１〜１２のいずれか１項に記載の方法。
【請求項１４】
前記第２の情報はＲＲＣメッセージ又はシステム情報又はブロードキャストチャネルに含まれることを特徴とする
請求項１３に記載の方法。
【請求項１５】
前記スケジューリングリソースは、ＰＵＣＣＨリソース、物理ダウンリンク共有チャネル（ＰＤＳＣＨ）リソース又は物理アップリンク共有チャネル（ＰＵＳＣＨ）リソースであることを特徴とする
請求項１〜１４のいずれか１項に記載の方法。
【請求項１６】
無線通信方法であって、
ネットワーク装置が、スケジューリングリソースのリソースインデックスを指示するためのダウンリンク制御情報（ＤＣＩ）における複数の指示ビットの指示フォーマットを決定することであって、前記指示フォーマットは、複数の指示ビットにおけるビット数Ｋを限定するために使用され、前記ビット数Ｋは、スケジューリングリソースに対応するリソース集合、又はスケジューリングリソースに対応するリソースタイプ、又はスケジューリングリソースに対応するチャネルフォーマットを指示するために使用され、Ｋは０以上の整数であることと、
前記ネットワーク装置が決定された前記指示フォーマットに基づいて、前記ＤＣＩを送信することと、を含むことを特徴とする、前記無線通信方法。
【請求項１７】
前記Ｋは１以上であり、前記複数の指示ビットは、少なくとも１つの第１のビットと少なくとも１つの第２のビットで構成され、
前記第１のビットは、前記スケジューリングリソースに対応するリソース集合のインデックス、前記スケジューリングリソースに対応するリソースタイプのインデックス、又は前記スケジューリングリソースに対応するチャネルフォーマットのインデックスを指示するために使用され、
前記第２のビットは、対応するリソース集合における前記スケジューリングリソースのインデックス、対応するリソースタイプに対応するリソース集合における前記スケジューリングリソースのインデックス、又は対応するチャネルフォーマットに対応するリソース集合における前記スケジューリングリソースのインデックスを指示するために使用され、
前記リソース集合は少なくとも１つの利用可能なリソースを含むことを特徴とする
請求項１６に記載の方法。
【請求項１８】
前記Ｋは０に等しく、前記複数の指示ビットは、すべての利用可能なリソースにおける前記スケジューリングリソースのインデックスを指示するために使用される第３のビットで構成されることを特徴とする
請求項１６に記載の方法。
【請求項１９】
前記ネットワーク装置が前記指示フォーマットを指示するために使用される第１の情報を前記端末装置に送信することをさらに含むことを特徴とする
請求項１６〜１８のいずれか１項に記載の方法。
【請求項２０】
前記第１の情報は無線リソース制御（ＲＲＣ）メッセージ又はシステム情報又はブロードキャストチャネルに含まれることを特徴とする
請求項１９に記載の方法。
【請求項２１】
前記指示フォーマットは前記端末装置の利用可能なリソースのリソースインデックスの設定形態に対応することを特徴とする
請求項１６〜２０のいずれか１項に記載の方法。
【請求項２２】
前記利用可能なリソースのリソースインデックスが少なくとも２つのリソース集合又は少なくとも２つのチャネルフォーマット又は少なくとも２つのリソースタイプに応じてそれぞれ設定される場合、前記Ｋは１以上であり、前記少なくとも２つのリソース集合又は前記少なくとも２つのチャネルフォーマット又は前記少なくとも２つのリソースタイプのリソースインデックスの間に少なくとも１つの同一のリソースインデックスを有し、又は、
前記利用可能なリソースのリソースインデックスが少なくとも２つのリソース集合又は少なくとも２つのチャネルフォーマット又は少なくとも２つのリソースタイプに応じてそれぞれ設定されない場合、前記Ｋは０に等しく、前記利用可能なリソースには同一のリソースインデックスがないことを特徴とする
請求項２１に記載の方法。
【請求項２３】
前記指示フォーマットが前記端末装置の利用可能なリソースの少なくとも２つのリソース集合又は少なくとも２つのチャネルフォーマット又は少なくとも２つのリソースタイプに含まれるリソースの数の関係に対応することを特徴とする
請求項１６〜１８のいずれか１項に記載の方法。
【請求項２４】
前記少なくとも２つのリソース集合又は前記少なくとも２つのチャネルフォーマット又は前記少なくとも２つのリソースタイプに含まれるリソースの数が同じである場合、前記Ｋは１以上であり、又は、
前記少なくとも２つのリソース集合又は前記少なくとも２つのチャネルフォーマット又は前記少なくとも２つのリソースタイプに含まれるリソースの数が同一ではない場合、前記Ｋは０に等しいことを特徴とする
請求項２３に記載の方法。
【請求項２５】
前記少なくとも２つのリソース集合又は前記少なくとも２つのチャネルフォーマット又は前記少なくとも２つのリソースタイプに含まれるリソースの数がいずれも２Ｍ／Ｎ以下である場合、前記Ｋは１以上であり、Ｎはリソース集合又はリソースタイプ又はチャネルフォーマットの数であり、Ｍは前記複数の指示ビットのビット数であり、又は、
前記少なくとも２つのリソース集合又は前記少なくとも２つのチャネルフォーマット又は前記少なくとも２つのリソースタイプには、２Ｍ／Ｎより大きい数のリソースが含まれるリソース集合又はチャネルフォーマット又はリソースタイプが少なくとも１つ存在する場合、前記Ｋは０に等しいことを特徴とする
請求項２３に記載の方法。
【請求項２６】
前記Ｋは数Ｓに対応し、
前記数Ｓは前記少なくとも２つのリソース集合又は少なくとも２つのチャネルフォーマット又は少なくとも２つのリソースタイプを特定の組合せに組み合わせる数であり、前記特定の組合せのリソースの数は２Ｍ／Ｓ以下であり、Ｍは前記複数の指示ビットのビット数であることを特徴とする
請求項２３に記載の方法。
【請求項２７】
前記少なくとも２つのリソース集合は、フォーマット０に対応する物理アップリンク制御チャンネル（ＰＵＣＣＨ）リソース集合と、フォーマット１に対応するＰＵＣＣＨリソース集合と、を含み、又は、
前記少なくとも２つのリソース集合は、フォーマット２に対応するＰＵＣＣＨリソース集合と、フォーマット３に対応するＰＵＣＣＨリソース集合と、フォーマット４に対応するＰＵＣＣＨリソース集合と、を含むことを特徴とする
請求項２２〜２６のいずれか１項に記載の方法。
【請求項２８】
前記ネットワーク装置が利用可能なリソース及び対応するリソースインデックスを構成するために使用される第２の情報を前記端末装置に送信することをさらに含むことを特徴とする
請求項１６〜２７のいずれか１項に記載の方法。
【請求項２９】
前記第２の情報はＲＲＣメッセージ又はシステム情報又はブロードキャストチャネルに含まれることを特徴とする
請求項２８に記載の方法。
【請求項３０】
前記スケジューリングリソースは、ＰＵＣＣＨリソース、物理ダウンリンク共有チャネル（ＰＤＳＣＨ）リソース又は物理アップリンク共有チャネル（ＰＵＳＣＨ）リソースであることを特徴とする
請求項１６〜２９のいずれか１項に記載の方法。
【請求項３１】
端末装置であって、
スケジューリングリソースのリソースインデックスを指示するためのダウンリンク制御情報（ＤＣＩ）における複数の指示ビットの指示フォーマットを決定するように構成される処理ユニットであって、前記指示フォーマットは、複数の指示ビットにおけるビット数Ｋを限定するために使用され、前記ビット数Ｋは、スケジューリングリソースに対応するリソース集合、又はスケジューリングリソースに対応するリソースタイプ、又はスケジューリングリソースに対応するチャネルフォーマットを指示するために使用され、Ｋは０以上の整数である処理ユニットと、
前記ネットワーク装置から送信された前記ＤＣＩを受信する通信ユニットと、を備え、
前記処理ユニットは、さらに、決定された前記指示フォーマットに基づき、前記ＤＣＩから、前記複数の指示ビットが指示したリソースインデックスを決定し、決定された前記リソースインデックスに従って、少なくとも１つの利用可能なリソースから、前記ネットワーク装置と通信する前記スケジューリングリソースを決定するように構成されることを特徴とする、前記端末装置。
【請求項３２】
前記Ｋは１以上であり、前記複数の指示ビットは、少なくとも１つの第１のビットと少なくとも１つの第２のビットで構成され、
前記第１のビットは、前記スケジューリングリソースに対応するリソース集合のインデックス、前記スケジューリングリソースに対応するリソースタイプのインデックス、又は前記スケジューリングリソースに対応するチャネルフォーマットのインデックスを指示するために使用され、
前記第２のビットは、対応するリソース集合における前記スケジューリングリソースのインデックス、対応するリソースタイプに対応するリソース集合における前記スケジューリングリソースのインデックス、又は対応するチャネルフォーマットに対応するリソース集合における前記スケジューリングリソースのインデックスを指示するために使用され、
前記リソース集合は少なくとも１つの利用可能なリソースを含むことを特徴とする
請求項３１に記載の装置。
【請求項３３】
前記Ｋは０に等しく、前記複数の指示ビットは、すべての利用可能なリソースにおける前記スケジューリングリソースのインデックスを指示するために使用される第３のビットで構成されることを特徴とする
請求項３１に記載の装置。
【請求項３４】
前記通信ユニットは、さらに、
前記ネットワーク装置から送信された、前記指示フォーマットを指示するために使用される第１の情報を受信するように構成されることを特徴とする
請求項３１〜３３のいずれか１項に記載の装置。
【請求項３５】
前記第１の情報は無線リソース制御（ＲＲＣ）メッセージ又はシステム情報又はブロードキャストチャネルに含まれることを特徴とする
請求項３４に記載の装置。
【請求項３６】
前記処理ユニットは、さらに、
利用可能なリソースのリソースインデックスの設定形態に応じて、前記指示フォーマットを決定するように構成されることを特徴とする
請求項３１〜３３のいずれか１項に記載の装置。
【請求項３７】
前記利用可能なリソースのリソースインデックスが少なくとも２つのリソース集合又は少なくとも２つのチャネルフォーマット又は少なくとも２つのリソースタイプに応じてそれぞれ設定される場合、前記Ｋは１以上であり、前記少なくとも２つのリソース集合又は前記少なくとも２つのチャネルフォーマット又は前記少なくとも２つのリソースタイプのリソースインデックスの間に少なくとも１つの同一のリソースインデックスを有し、又は、
前記利用可能なリソースのリソースインデックスが少なくとも２つのリソース集合又は少なくとも２つのチャネルフォーマット又は少なくとも２つのリソースタイプに応じてそれぞれ設定されない場合、前記Ｋは０に等しく、前記利用可能なリソースには同一のリソースインデックスがないことを特徴とする
請求項３６に記載の装置。
【請求項３８】
前記処理ユニットは、さらに、
利用可能なリソースの少なくとも２つのリソース集合又は少なくとも２つのチャネルフォーマット又は少なくとも２つのリソースタイプに含まれるリソースの数の関係に基づいて、前記指示フォーマットを決定するように構成されることを特徴とする
請求項３１〜３３のいずれか１項に記載の装置。
【請求項３９】
前記少なくとも２つのリソース集合又は前記少なくとも２つのチャネルフォーマット又は前記少なくとも２つのリソースタイプに含まれるリソースの数が同じである場合、前記Ｋは１以上であり、又は、
前記少なくとも２つのリソース集合又は前記少なくとも２つのチャネルフォーマット又は前記少なくとも２つのリソースタイプに含まれるリソースの数が同一ではない場合、前記Ｋは０に等しいことを特徴とする
請求項３８に記載の装置。
【請求項４０】
前記少なくとも２つのリソース集合又は前記少なくとも２つのチャネルフォーマット又は前記少なくとも２つのリソースタイプに含まれるリソースの数がいずれも２Ｍ／Ｎ以下である場合、前記Ｋは１以上であり、Ｎはリソース集合又はリソースタイプ又はチャネルフォーマットの数であり、Ｍは前記複数の指示ビットのビット数であり、又は、
前記少なくとも２つのリソース集合又は前記少なくとも２つのチャネルフォーマット又は前記少なくとも２つのリソースタイプには、２Ｍ／Ｎより大きい数のリソースが含まれるリソース集合又はチャネルフォーマット又はリソースタイプが少なくとも１つ存在する場合、前記Ｋは０に等しいことを特徴とする
請求項３８に記載の装置。
【請求項４１】
前記処理ユニットは、さらに、
前記少なくとも２つのリソース集合又は少なくとも２つのチャネルフォーマット又は少なくとも２つのリソースタイプを特定の組合せに組み合わせる組合せの数Ｓを決定し、前記特定の組合せのリソースの数は２Ｍ／Ｓ以下であり、Ｍは前記複数の指示ビットのビット数であり、
前記数Ｓに基づいて前記Ｋを決定するように構成されることを特徴とする
請求項３８に記載の装置。
【請求項４２】
前記少なくとも２つのリソース集合は、フォーマット０に対応する物理アップリンク制御チャンネル（ＰＵＣＣＨ）リソース集合と、フォーマット１に対応するＰＵＣＣＨリソース集合と、を含み、又は、
前記少なくとも２つのリソース集合は、フォーマット２に対応するＰＵＣＣＨリソース集合と、フォーマット３に対応するＰＵＣＣＨリソース集合と、フォーマット４に対応するＰＵＣＣＨリソース集合と、を含むことを特徴とする
請求項３７〜４１のいずれか１項に記載の装置。
【請求項４３】
前記通信ユニットは、さらに、
前記ネットワーク装置から送信された、利用可能なリソース及び対応するリソースインデックスを構成するために使用される第２の情報を受信するように構成されることを特徴とする
請求項３１〜４２のいずれか１項に記載の装置。
【請求項４４】
前記第２の情報はＲＲＣメッセージ又はシステム情報又はブロードキャストチャネルに含まれることを特徴とする
請求項４３に記載の装置。
【請求項４５】
前記スケジューリングリソースは、ＰＵＣＣＨリソース、物理ダウンリンク共有チャネル（ＰＤＳＣＨ）リソース又は物理アップリンク共有チャネル（ＰＵＳＣＨ）リソースであることを特徴とする
請求項３１〜４４のいずれか１項に記載の装置。
【請求項４６】
ネットワーク装置であって、
スケジューリングリソースのリソースインデックスを指示するためのダウンリンク制御情報（ＤＣＩ）における複数の指示ビットの指示フォーマットを決定するように構成される処理ユニットであって、前記指示フォーマットは、複数の指示ビットにおけるビット数Ｋを限定するために使用され、前記ビット数Ｋは、スケジューリングリソースに対応するリソース集合、又はスケジューリングリソースに対応するリソースタイプ、又はスケジューリングリソースに対応するチャネルフォーマットを指示するために使用され、Ｋは０以上の整数である処理ユニットと、
決定された前記指示フォーマットに基づき、前記ＤＣＩを送信するように構成される通信ユニットと、を備えることを特徴とする、前記ネットワーク装置。
【請求項４７】
前記Ｋは１以上であり、前記複数の指示ビットは、少なくとも１つの第１のビットと少なくとも１つの第２のビットで構成され、
前記第１のビットは、前記スケジューリングリソースに対応するリソース集合のインデックス、前記スケジューリングリソースに対応するリソースタイプのインデックス、又は前記スケジューリングリソースに対応するチャネルフォーマットのインデックスを指示するために使用され、
前記第２のビットは、対応するリソース集合における前記スケジューリングリソースのインデックス、対応するリソースタイプに対応するリソース集合における前記スケジューリングリソースのインデックス、又は対応するチャネルフォーマットに対応するリソース集合における前記スケジューリングリソースのインデックスを指示するために使用され、
前記リソース集合は少なくとも１つの利用可能なリソースを含むことを特徴とする
請求項４６に記載の装置。
【請求項４８】
前記Ｋは０に等しく、前記複数の指示ビットは、すべての利用可能なリソースにおける前記スケジューリングリソースのインデックスを指示するために使用される第３のビットで構成されることを特徴とする
請求項４６に記載の装置。
【請求項４９】
前記通信ユニットは、さらに、
前記指示フォーマットを指示するために使用される第１の情報を前記端末装置に送信するように構成されることを特徴とする
請求項４６〜４８のいずれか１項に記載の装置。
【請求項５０】
前記第１の情報は無線リソース制御（ＲＲＣ）メッセージ又はシステム情報又はブロードキャストチャネルに含まれることを特徴とする
請求項４９に記載の装置。
【請求項５１】
前記指示フォーマットは前記端末装置の利用可能なリソースのリソースインデックスの設定形態に対応することを特徴とする
請求項４６〜５０のいずれか１項に記載の装置。
【請求項５２】
前記利用可能なリソースのリソースインデックスが少なくとも２つのリソース集合又は少なくとも２つのチャネルフォーマット又は少なくとも２つのリソースタイプに応じてそれぞれ設定される場合、前記Ｋは１以上であり、前記少なくとも２つのリソース集合又は前記少なくとも２つのチャネルフォーマット又は前記少なくとも２つのリソースタイプのリソースインデックスの間に少なくとも１つの同一のリソースインデックスを有し、又は、
前記利用可能なリソースのリソースインデックスが少なくとも２つのリソース集合又は少なくとも２つのチャネルフォーマット又は少なくとも２つのリソースタイプに応じてそれぞれ設定されない場合、前記Ｋは０に等しく、前記利用可能なリソースには同一のリソースインデックスがないことを特徴とする
請求項５１に記載の装置。
【請求項５３】
前記指示フォーマットが前記端末装置の利用可能なリソースの少なくとも２つのリソース集合又は少なくとも２つのチャネルフォーマット又は少なくとも２つのリソースタイプに含まれるリソースの数の関係に対応することを特徴とする
請求項４６〜４８のいずれか１項に記載の装置。
【請求項５４】
前記少なくとも２つのリソース集合又は前記少なくとも２つのチャネルフォーマット又は前記少なくとも２つのリソースタイプに含まれるリソースの数が同じである場合、前記Ｋは１以上であり、又は、
前記少なくとも２つのリソース集合又は前記少なくとも２つのチャネルフォーマット又は前記少なくとも２つのリソースタイプに含まれるリソースの数が同一ではない場合、前記Ｋは０に等しいことを特徴とする
請求項５３に記載の装置。
【請求項５５】
前記少なくとも２つのリソース集合又は前記少なくとも２つのチャネルフォーマット又は前記少なくとも２つのリソースタイプに含まれるリソースの数がいずれも２Ｍ／Ｎ以下である場合、前記Ｋは１以上であり、Ｎはリソース集合又はリソースタイプ又はチャネルフォーマットの数であり、Ｍは前記複数の指示ビットのビット数であり、又は、
前記少なくとも２つのリソース集合又は前記少なくとも２つのチャネルフォーマット又は前記少なくとも２つのリソースタイプには、２Ｍ／Ｎより大きい数のリソースが含まれるリソース集合又はチャネルフォーマット又はリソースタイプが少なくとも１つ存在する場合、前記Ｋは０に等しいことを特徴とする
請求項５３に記載の装置。
【請求項５６】
前記Ｋは数Ｓに対応し、
前記数Ｓは前記少なくとも２つのリソース集合又は少なくとも２つのチャネルフォーマット又は少なくとも２つのリソースタイプを特定の組合せに組み合わせる数であり、前記特定の組合せのリソースの数は２Ｍ／Ｓ以下であり、Ｍは前記複数の指示ビットのビット数であることを特徴とする
請求項５３に記載の装置。
【請求項５７】
前記少なくとも２つのリソース集合は、フォーマット０に対応する物理アップリンク制御チャンネル（ＰＵＣＣＨ）リソース集合と、フォーマット１に対応するＰＵＣＣＨリソース集合と、を含み、又は、
前記少なくとも２つのリソース集合は、フォーマット２に対応するＰＵＣＣＨリソース集合と、フォーマット３に対応するＰＵＣＣＨリソース集合と、フォーマット４に対応するＰＵＣＣＨリソース集合と、を含むことを特徴とする
請求項５２〜５６のいずれか１項に記載の装置。
【請求項５８】
前記ネットワーク装置が利用可能なリソース及び対応するリソースインデックスを構成するために使用される第２の情報を前記端末装置に送信することをさらに含むことを特徴とする
請求項４６〜５７のいずれか１項に記載の装置。
【請求項５９】
前記第２の情報はＲＲＣメッセージ又はシステム情報又はブロードキャストチャネルに含まれることを特徴とする
請求項５８に記載の装置。
【請求項６０】
前記スケジューリングリソースは、ＰＵＣＣＨリソース、物理ダウンリンク共有チャネル（ＰＤＳＣＨ）リソース又は物理アップリンク共有チャネル（ＰＵＳＣＨ）リソースであることを特徴とする
請求項４６〜５９のいずれか１項に記載の装置。
【発明の詳細な説明】
【技術分野】
【０００１】
本願は通信分野に関し、具体的には、無線通信方法及び装置に関する。
【背景技術】
【０００２】
ロングタームエボリューション（Ｌｏｎｇ  Ｔｅｒｍ  Ｅｖｏｌｕｔｉｏｎ：ＬＴＥ）システムにおいて、端末装置が物理アップリンク制御チャンネル（Ｐｈｙｓｉｃａｌ  Ｕｐｌｉｎｋ  Ｃｏｎｔｒｏｌ  Ｃｈａｎｎｅｌ：ＰＵＣＣＨ）をネットワーク装置に送信するときに、ＰＵＣＣＨとその他のチャネルで特定されるシーケンス関係に基づき、ＰＵＣＣＨが占用したリソースを決定する。しかしながら、このようなＰＵＣＣＨの送信方法でのリソース使用の柔軟性が高くない。
【０００３】
新無線（Ｎｅｗ  Ｒａｄｉｏ：ＮＲ）システムにおいて、リソース使用の柔軟性に対する要件が高い。
【０００４】
従って、チャネル伝送に対して、リソース使用の柔軟性を如何に向上させるかは、解決しようとする問題である。
【発明の概要】
【０００５】
本願の実施例は、チャネル伝送に対して、リソース使用の柔軟性を高める無線通信方法和装置を提供する。
【０００６】
第１の態様では、無線通信方法を提供し、無線通信方法は、
端末装置が、スケジューリングリソースのリソースインデックスを指示するためのダウンリンク制御情報（ＤＣＩ）における複数の指示ビットの指示フォーマットを決定することであって、前記指示フォーマットは、複数の指示ビットにおけるビット数Ｋを限定するために使用され、前記ビット数Ｋは、スケジューリングリソースに対応するリソース集合、又はスケジューリングリソースに対応するリソースタイプ、又はスケジューリングリソースに対応するチャネルフォーマットを指示するために使用され、Ｋは０以上の整数であることと、
端末装置が決定された指示フォーマットに基づき、ＤＣＩから、複数の指示ビットが指示したリソースインデックスを決定することと、
端末装置が、決定されたリソースインデックスに従って、少なくとも１つの利用可能なリソースから、ネットワーク装置と通信するスケジューリングリソースを決定することと、を含む。
【０００７】
本願の実施例では、端末装置が、スケジューリングリソースのリソースインデックスを指示するためのＤＣＩにおける複数の指示ビットの指示フォーマットを決定し、前記指示フォーマットは、複数の指示ビットにおけるビット数Ｋを限定するために使用され、前記ビット数Ｋは、スケジューリングリソースに対応するリソース集合、又はスケジューリングリソースに対応するリソースタイプ、又はスケジューリングリソースに対応するチャネルフォーマットを指示するために使用され、Ｋは０以上の整数であり、決定された前記指示フォーマットに基づき、前記ＤＣＩから、前記複数の指示ビットが指示したリソースインデックスを決定し、それにより、決定されたリソースインデックスに従って、少なくとも１つの利用可能なリソースから、前記ネットワーク装置と通信する前記スケジューリングリソースを決定する。従って、本願では、可変ＤＣＩ構造によりリソースをスケジューリングし、特定のリソースタイプ又はチャネルフォーマットに応じてチャネルで伝送されるリソースを制限しなくてもよく、応用場面に応じて複数種のリソース集合定義方式及び通知方式を柔軟に用いてもよく、ＤＣＩフォーマットの柔軟性と可変性を実現でき、それにより、リソース指示の柔軟性及び信頼性をさらに高める。
【０００８】
第１の態様に関して、第１の態様の可能な実現方式では、Ｋは１以上であり、複数の指示ビットは、少なくとも１つの第１のビットと少なくとも１つの第２のビットで構成され、前記第１のビットは、前記スケジューリングリソースに対応するリソース集合のインデックス、前記スケジューリングリソースに対応するリソースタイプのインデックス、又は前記スケジューリングリソースに対応するチャネルフォーマットのインデックスを指示するために使用され、前記第２のビットは、対応するリソース集合における前記スケジューリングリソースのインデックス、対応するリソースタイプに対応するリソース集合における前記スケジューリングリソースのインデックス、又は対応するチャネルフォーマットに対応するリソース集合における前記スケジューリングリソースのインデックスを指示するために使用され、リソース集合は少なくとも１つの利用可能なリソースを含む。
【０００９】
第１の態様又は上記可能な実現方式のいずれか1つと組み合わせて、第１の態様の別の可能な実現方式では、Ｋは０に等しく、複数の指示ビットは、すべての利用可能なリソースにおけるスケジューリングリソースのインデックスを指示するために使用される第３のビットで構成される。
【００１０】
第１の態様又は上記可能な実現方式のいずれか1つと組み合わせて、第１の態様の別の可能な実現方式では、方法は、さらに、
端末装置がネットワーク装置から送信された、指示フォーマットを指示するために使用される第１の情報を受信することを含む。
【００１１】
第１の態様又は上記可能な実現方式のいずれか1つと組み合わせて、第１の態様の別の可能な実現方式では、第１の情報は無線リソース制御（ＲＲＣ）メッセージ又はシステム情報又はブロードキャストチャネルに含まれる。
【００１２】
第１の態様又は上記可能な実現方式のいずれか1つと組み合わせて、第１の態様の別の可能な実現方式では、端末装置が、スケジューリングリソースのリソースインデックスを指示するためのダウンリンク制御情報（ＤＣＩ）における複数の指示ビットの指示フォーマットを決定することは、
端末装置が利用可能なリソースのリソースインデックスの設定形態に応じて、指示フォーマットを決定することを含む。
【００１３】
第１の態様又は上記可能な実現方式のいずれか1つと組み合わせて、第１の態様の別の可能な実現方式では、利用可能なリソースのリソースインデックスが少なくとも２つのリソース集合又は少なくとも２つのチャネルフォーマット又は少なくとも２つのリソースタイプに応じてそれぞれ設定される場合、Ｋは１以上であり、少なくとも２つのリソース集合又は少なくとも２つのチャネルフォーマット又は少なくとも２つのリソースタイプのリソースインデックスの間には少なくとも１つの同一のリソースインデックスを有し、又は、
利用可能なリソースのリソースインデックスが少なくとも２つのリソース集合又は少なくとも２つのチャネルフォーマット又は少なくとも２つのリソースタイプに応じてそれぞれ設定されない場合、Ｋは０に等しく、利用可能なリソースに同一のリソースインデックスがない。
【００１４】
第１の態様又は上記可能な実現方式のいずれか1つと組み合わせて、第１の態様の別の可能な実現方式では、端末装置が、スケジューリングリソースのリソースインデックスを指示するためのダウンリンク制御情報（ＤＣＩ）における複数の指示ビットの指示フォーマットを決定することは、
端末装置が利用可能なリソースの少なくとも２つのリソース集合又は少なくとも２つのチャネルフォーマット又は少なくとも２つのリソースタイプに含まれるリソースの数の関係に基づいて、指示フォーマットを決定することを含む。
【００１５】
第１の態様又は上記可能な実現方式のいずれか1つと組み合わせて、第１の態様の別の可能な実現方式では、少なくとも２つのリソース集合又は少なくとも２つのチャネルフォーマット又は少なくとも２つのリソースタイプに含まれるリソースの数が同じである場合、Ｋは１以上であり、又は、
少なくとも２つのリソース集合又は少なくとも２つのチャネルフォーマット又は少なくとも２つのリソースタイプに含まれるリソースの数が同一ではない場合、Ｋは０に等しい。
【００１６】
第１の態様又は上記可能な実現方式のいずれか1つと組み合わせて、第１の態様の別の可能な実現方式では、少なくとも２つのリソース集合又は少なくとも２つのチャネルフォーマット又は少なくとも２つのリソースタイプに含まれるリソースの数がいずれも２Ｍ／Ｎ以下である場合、Ｋは１以上であり、Ｎはリソース集合又はリソースタイプ又はチャネルフォーマットの数であり、Ｍは複数の指示ビットのビット数であり、又は、
少なくとも２つのリソース集合又は少なくとも２つのチャネルフォーマット又は少なくとも２つのリソースタイプには、２Ｍ／Ｎより大きい数のリソースが含まれるリソース集合又はチャネルフォーマット又はリソースタイプが少なくとも１つ存在する場合、Ｋは０に等しい。
【００１７】
第１の態様又は上記可能な実現方式のいずれか1つと組み合わせて、第１の態様の別の可能な実現方式では、端末装置が利用可能なリソースの少なくとも２つのリソース集合又は少なくとも２つのチャネルフォーマット又は少なくとも２つのリソースタイプに含まれるリソースの数の関係に基づいて、指示フォーマットを決定することは、
少なくとも２つのリソース集合又は少なくとも２つのチャネルフォーマット又は少なくとも２つのリソースタイプを特定の組合せに組み合わせる組合せの数Ｓを決定することであって、特定の組合せのリソースの数は２Ｍ／Ｓ以下であり、Ｍは複数の指示ビットのビット数であることと、
数Ｓに基づいて、Ｋを決定することと、を含む。
【００１８】
第１の態様又は上記可能な実現方式のいずれか1つと組み合わせて、第１の態様の別の可能な実現方式では、少なくとも２つのリソース集合は、フォーマット０に対応する物理アップリンク制御チャンネル（ＰＵＣＣＨ）リソース集合と、フォーマット１に対応するＰＵＣＣＨリソース集合と、を含み、又は、
少なくとも２つのリソース集合は、フォーマット２に対応するＰＵＣＣＨリソース集合と、フォーマット３に対応するＰＵＣＣＨリソース集合と、フォーマット４に対応するＰＵＣＣＨリソース集合と、を含む。
【００１９】
第１の態様又は上記可能な実現方式のいずれか1つと組み合わせて、第１の態様の別の可能な実現方式では、方法は、
端末装置が、ネットワーク装置から送信された、利用可能なリソース及び対応するリソースインデックスを構成するために使用される第２の情報を受信することをさらに含む。
【００２０】
第１の態様又は上記可能な実現方式のいずれか1つと組み合わせて、第１の態様の別の可能な実現方式では、第２の情報はＲＲＣメッセージ又はシステム情報又はブロードキャストチャネルに含まれる。
【００２１】
第１の態様又は上記可能な実現方式のいずれか1つと組み合わせて、第１の態様の別の可能な実現方式では、スケジューリングリソースは、ＰＵＣＣＨリソース、物理ダウンリンク共有チャネル（ＰＤＳＣＨ）リソース又は物理アップリンク共有チャネル（ＰＵＳＣＨ）リソースである。
【００２２】
第２の形態では、無線通信方法を提供し、前記無線通信方法は、
ネットワーク装置が、スケジューリングリソースのリソースインデックスを指示するためのダウンリンク制御情報（ＤＣＩ）における複数の指示ビットの指示フォーマットを決定することであって、前記指示フォーマットは、複数の指示ビットにおけるビット数Ｋを限定するために使用され、前記ビット数Ｋは、スケジューリングリソースに対応するリソース集合、又はスケジューリングリソースに対応するリソースタイプ、又はスケジューリングリソースに対応するチャネルフォーマットを指示するために使用され、Ｋは０以上の整数であることと、
ネットワーク装置が決定された指示フォーマットに応じて、ＤＣＩを送信することと、を含む。
【００２３】
本願の実施例では、ネットワーク装置は、スケジューリングリソースのリソースインデックスを指示するためのＤＣＩにおける複数の指示ビットの指示フォーマットを決定し、ここで、前記指示フォーマットは、複数の指示ビットにおけるビット数Ｋを限定するために使用され、前記ビット数Ｋは、スケジューリングリソースに対応するリソース集合、又はスケジューリングリソースに対応するリソースタイプ、又はスケジューリングリソースに対応するチャネルフォーマットを指示するために使用され、Ｋは０以上の整数であり、決定された前記指示フォーマットに基づき、ＤＣＩを送信する。従って、本願は可変ＤＣＩ構造によりリソースをスケジューリングし、特定のリソースタイプ又はチャネルフォーマットに応じてチャネルで伝送されるリソースを制限しなくてもよく、応用場面に応じて複数種のリソース集合定義方式及び通知方式を柔軟に用いてもよく、ＤＣＩフォーマットの柔軟性と可変性を実現でき、それにより、リソース指示の柔軟性及び信頼性をさらに高める。
【００２４】
第２の形態に関して、第２の形態の可能な実現方式では、Ｋは１以上であり、複数の指示ビットは、少なくとも１つの第１のビットと少なくとも１つの第２のビットで構成され、前記第１のビットは、前記スケジューリングリソースに対応するリソース集合のインデックス、前記スケジューリングリソースに対応するリソースタイプのインデックス、又は前記スケジューリングリソースに対応するチャネルフォーマットのインデックスを指示するために使用され、前記第２のビットは、対応するリソース集合における前記スケジューリングリソースのインデックス、対応するリソースタイプに対応するリソース集合における前記スケジューリングリソースのインデックス、又は対応するチャネルフォーマットに対応するリソース集合における前記スケジューリングリソースのインデックスを指示するために使用され、リソース集合は少なくとも１つの利用可能なリソースを含む。
【００２５】
第２の形態又は上記可能な実現方式のいずれか1つと組み合わせて、第２の形態の別の可能な実現方式では、Ｋは０に等しく、複数の指示ビットは、すべての利用可能なリソースにおけるスケジューリングリソースのインデックスを指示するために使用される第３のビットで構成される。
【００２６】
第２の形態又は上記可能な実現方式のいずれか1つと組み合わせて、第２の形態の別の可能な実現方式では、方法は、さらに、
ネットワーク装置が指示フォーマットを指示するために使用される第１の情報を端末装置に送信することを含む。
【００２７】
第２の形態又は上記可能な実現方式のいずれか1つと組み合わせて、第２の形態の別の可能な実現方式では、第１の情報は無線リソース制御（ＲＲＣ）メッセージ又はシステム情報又はブロードキャストチャネルに含まれる。
【００２８】
第２の形態又は上記可能な実現方式のいずれか1つと組み合わせて、第２の形態の別の可能な実現方式では、指示フォーマットは端末装置の利用可能なリソースのリソースインデックスの設定形態に対応する。
【００２９】
第２の形態又は上記可能な実現方式のいずれか1つと組み合わせて、第２の形態の別の可能な実現方式では、利用可能なリソースのリソースインデックスが少なくとも２つのリソース集合又は少なくとも２つのチャネルフォーマット又は少なくとも２つのリソースタイプに応じてそれぞれ設定される場合、Ｋは１以上であり、少なくとも２つのリソース集合又は少なくとも２つのチャネルフォーマット又は少なくとも２つのリソースタイプのリソースインデックスの間には少なくとも１つの同一のリソースインデックスを有し、又は、
利用可能なリソースのリソースインデックスが少なくとも２つのリソース集合又は少なくとも２つのチャネルフォーマット又は少なくとも２つのリソースタイプに応じてそれぞれ設定されない場合、Ｋは０に等しく、利用可能なリソースに同一のリソースインデックスがない。
【００３０】
第２の形態又は上記可能な実現方式のいずれか1つと組み合わせて、第２の形態の別の可能な実現方式では、指示フォーマットは端末装置の利用可能なリソースの少なくとも２つのリソース集合又は少なくとも２つのチャネルフォーマット又は少なくとも２つのリソースタイプに含まれるリソースの数の関係に対応する。
【００３１】
第２の形態又は上記可能な実現方式のいずれか1つと組み合わせて、第２の形態の別の可能な実現方式では、少なくとも２つのリソース集合又は少なくとも２つのチャネルフォーマット又は少なくとも２つのリソースタイプに含まれるリソースの数が同じである場合、Ｋは１以上であり、又は、
少なくとも２つのリソース集合又は少なくとも２つのチャネルフォーマット又は少なくとも２つのリソースタイプに含まれるリソースの数が同一ではない場合、Ｋは０に等しい。
【００３２】
第２の形態又は上記可能な実現方式のいずれか1つと組み合わせて、第２の形態の別の可能な実現方式では、少なくとも２つのリソース集合又は少なくとも２つのチャネルフォーマット又は少なくとも２つのリソースタイプに含まれるリソースの数がいずれも２Ｍ／Ｎ以下である場合、Ｋは１以上であり、Ｎはリソース集合又はリソースタイプ又はチャネルフォーマットの数であり、Ｍは複数の指示ビットのビット数であり、又は、
少なくとも２つのリソース集合又は少なくとも２つのチャネルフォーマット又は少なくとも２つのリソースタイプには、２Ｍ／Ｎより大きい数のリソースが含まれるリソース集合又はチャネルフォーマット又はリソースタイプが少なくとも１つ存在する場合、Ｋは０に等しい。
【００３３】
第２の形態又は上記可能な実現方式のいずれか1つと組み合わせて、第２の形態の別の可能な実現方式では、Ｋは数Ｓに対応し、
数Ｓは、少なくとも２つのリソース集合又は少なくとも２つのチャネルフォーマット又は少なくとも２つのリソースタイプを特定の組合せに組み合わせる数であり、特定の組合せのリソースの数は２Ｍ／Ｓ以下であり、Ｍは複数の指示ビットのビット数である。
【００３４】
第２の形態又は上記可能な実現方式のいずれか1つと組み合わせて、第２の形態の別の可能な実現方式では、少なくとも２つのリソース集合は、フォーマット０に対応する物理アップリンク制御チャンネル（ＰＵＣＣＨ）リソース集合と、フォーマット１に対応するＰＵＣＣＨリソース集合と、を含み、又は、
少なくとも２つのリソース集合は、フォーマット２に対応するＰＵＣＣＨリソース集合と、フォーマット３に対応するＰＵＣＣＨリソース集合と、フォーマット４に対応するＰＵＣＣＨリソース集合と、を含む。
【００３５】
第２の形態又は上記可能な実現方式のいずれか1つと組み合わせて、第２の形態の別の可能な実現方式では、方法は、
ネットワーク装置が利用可能なリソース及び対応するリソースインデックスを構成するために使用される第２の情報を端末装置に送信することをさらに含む。
【００３６】
第２の形態又は上記可能な実現方式のいずれか1つと組み合わせて、第２の形態の別の可能な実現方式では、第２の情報はＲＲＣメッセージ又はシステム情報又はブロードキャストチャネルに含まれる。
【００３７】
第２の形態又は上記可能な実現方式のいずれか1つと組み合わせて、第２の形態の別の可能な実現方式では、スケジューリングリソースは、ＰＵＣＣＨリソース、物理ダウンリンク共有チャネル（ＰＤＳＣＨ）リソース又は物理アップリンク共有チャネル（ＰＵＳＣＨ）リソースである。
【００３８】
第３の形態では、上記第１の態様又は第１の態様の任意の可能な実現方式における方法を実行する端末装置を提供する。具体的には、前記端末装置は、上記第１の態様又は第１の態様の任意可能な実現方式における方法を実行する機能モジュールを備える。
【００３９】
第４の形態では、上記第２の形態では又は第２の形態の任意の可能な実現方式における方法を実行するネットワーク装置を提供する。具体的には、前記ネットワーク装置は上記第２の形態では又は第２の形態の任意の可能な実現方式における方法を実行する機能モジュールを備える。
【００４０】
第５の形態では、プロセッサ、メモリ、及び送受信機を備える端末装置を提供する。前記プロセッサ、前記メモリ、及び前記送受信機は内部接続通路を介して互いに通信し、制御及び／又はデータ信号を伝送し、それにより、前記端末装置が上記第１の態様又は第１の態様の任意の可能な実現方式における方法を実行する。
【００４１】
第６の形態では、プロセッサ、メモリ、及び送受信機を備えるネットワーク装置を提供する。前記プロセッサ、前記メモリ、及び前記送受信機は内部接続通路を介して互いに連通し、制御及び／又はデータ信号を伝送し、それにより、前記ネットワーク装置が上記第２の形態では又は第２の形態の任意の可能な実現方式における方法を実行する。
【００４２】
第７の形態では、上記任意の方法又は任意の可能な実現方式における命令を実行するコンピュータプログラムを記憶するコンピュータ可読媒体を提供する。
【００４３】
第８の形態では、命令を含むコンピュータプログラム製品を提供し、コンピュータにおいて実行されると、コンピュータに上記任意の方法又は任意の可能な実現方式における方法を実行させる。
【図面の簡単な説明】
【００４４】
本願の実施例の技術案をより明確に説明するために、以下、実施例又は従来技術を説明するために必要な添付図面を簡単に説明する。明らかに、以下の説明における添付図面は、本願のいくつかの実施例を示しており、当業者は、創造的努力なしにこれらの添付図面から他の添付図面を得ることができる。
【図１】は本願の実施例による無線通信システムの模式図である。
【図２】は本願の実施例による無線通信方法の模式的なフローチャートである。
【図３】は本願の実施例による無線通信方法の模式的なフローチャートである。
【図４】は本願の実施例による端末装置の模式的なブロック図である。
【図５】は本願の実施例によるネットワーク装置の模式的なブロック図である。
【図６】は本願の実施例によるシステムチップの模式的なブロック図である。
【図７】は本願の実施例による通信装置の模式的なブロック図である。
【発明を実施するための形態】
【００４５】
以下、本願の実施例における技術案を、本願の実施例における添付図面を参照しながら、説明する。明らかに、記載された実施例は、本願の実施例の一部であるがすべてではない。創造的な作業なしに本願における実施例に基づいて当業者によって得られるその他のすべての実施例は、本願の保護範囲内に属するものである。
【００４６】
本願の実施例の技術案は、様々な通信システム、例えば、グローバルモバイル通信（Ｇｌｏｂａｌ  Ｓｙｓｔｅｍ  ｏｆ  Ｍｏｂｉｌｅ  ｃｏｍｍｕｎｉｃａｔｉｏｎ、略称「ＧＳＭ」）システム、符号分割多元接続（Ｃｏｄｅ  Ｄｉｖｉｓｉｏｎ  Ｍｕｌｔｉｐｌｅ  Ａｃｃｅｓｓ、略称「ＣＤＭＡ」）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、略称「ＷＣＤＭＡ」）システム、汎用パケット無線サービス（Ｇｅｎｅｒａｌ  Ｐａｃｋｅｔ  Ｒａｄｉｏ  Ｓｅｒｖｉｃｅ、略称「ＧＰＲＳ」）、ロングタームエボリューション（Ｌｏｎｇ  Ｔｅｒｍ  Ｅｖｏｌｕｔｉｏｎ、略称「ＬＴＥ」）システム、ＬＴＥ周波数分割複信（Ｆｒｅｑｕｅｎｃｙ  Ｄｉｖｉｓｉｏｎ  Ｄｕｐｌｅｘ、略称「ＦＤＤ」）システム、ＬＴＥ時分割複信（Ｔｉｍｅ  Ｄｉｖｉｓｉｏｎ  Ｄｕｐｌｅｘ、略称「ＴＤＤ」）、ユニバーサル移動通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、略称「ＵＭＴＳ」）、マイクロ波 利用アクセスに関する世界的な相互運用（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、略称「ＷｉＭＡＸ」）通信システム又は将来の５Ｇシステム等に適用できる。
【００４７】
図１は、本願の実施例に適用される無線通信システム１００を示す。該無線通信システム１００はネットワーク装置１１０を備えてもよい。ネットワーク装置１００は端末装置と通信する装置であってもよい。ネットワーク装置１００は特定の地理的領域に通信カバレッジを提供することができ、且つ該カバレッジ領域内の端末装置（例えばＵＥ）と通信することができる。好ましくは、該ネットワーク装置１００は、ＧＳＭシステム又はＣＤＭＡシステムにおける基地局（Ｂａｓｅ  Ｔｒａｎｓｃｅｉｖｅｒ  Ｓｔａｔｉｏｎ：ＢＴＳ）であってもよく、ＷＣＤＭＡシステムにおける基地局（ＮｏｄｅＢ：ＮＢ）であってもよく、ＬＴＥシステムにおける発展型基地局（Ｅｖｏｌｕｔｉｏｎａｌ  Ｎｏｄｅ  Ｂ、ｅＮＢ又はｅＮｏｄｅＢ）であってもよく、又は、クラウド無線アクセスネットワーク（Ｃｌｏｕｄ  Ｒａｄｉｏ  Ａｃｃｅｓｓ  Ｎｅｔｗｏｒｋ：ＣＲＡＮ）における無線コントローラであってもよく、又は、該ネットワーク装置は中継局、アクセスポイント、車載装置、ウェアラブル端末、将来の５Ｇネットワークにおけるネットワーク側機器又は将来発展する公衆陸上移動網（Ｐｕｂｌｉｃ  Ｌａｎｄ  Ｍｏｂｉｌｅ  Ｎｅｔｗｏｒｋ：ＰＬＭＮ）におけるネットワーク装置等であってもよい。
【００４８】
該無線通信システム１００はさらにネットワーク装置１１０のカバレッジ範囲内の少なくとも１つの端末装置１２０を備える。端末装置１２０は可動であってもよいし、又は固定であってもよい。好ましくは、端末装置１２０は、アクセス端末、ユーザ機器（Ｕｓｅｒ  Ｅｑｕｉｐｍｅｎｔ、ＵＥ）、加入者ユニット、加入者局、移動局、移動サイト、遠隔局、遠隔端末、移動装置、ユーザ端末、端末、無線通信装置、ユーザエージェント又はユーザデバイスであってもよい。アクセス端末は、セルラー電話、コードレス電話、セッション開始プロトコル（Ｓｅｓｓｉｏｎ  Ｉｎｉｔｉａｔｉｏｎ  Ｐｒｏｔｏｃｏｌ：ＳＩＰ）電話、無線ローカルループ（Ｗｉｒｅｌｅｓｓ  Ｌｏｃａｌ  Ｌｏｏｐ：ＷＬＬ）サイト、パーソナルデジタル処理（Ｐｅｒｓｏｎａｌ  Ｄｉｇｉｔａｌ  Ａｓｓｉｓｔａｎｔ：ＰＤＡ）、無線通信機能を有するハンドヘルドデバイス、コンピューティングデバイス又は無線モデムに接続される他の処理装置、車載装置、ウェアラブル端末、将来の５Ｇネットワークにおける端末装置又は将来発展するＰＬＭＮにおける端末装置等であってもよい。
【００４９】
好ましくは、端末装置１２０は装置対装置（Ｄｅｖｉｃｅ  ｔｏ  Ｄｅｖｉｃｅ：Ｄ２Ｄ）通信を行うこともできる。
【００５０】
好ましくは、５Ｇシステム又はネットワークは新無線（Ｎｅｗ  Ｒａｄｉｏ：ＮＲ）システム又はネットワークとも呼ばれる。
【００５１】
図１は、１つのネットワーク装置及び２つの端末装置を例示的に示し、好ましくは、該無線通信システム１００は複数のネットワーク装置を備えてもよく、且つ各ネットワーク装置のカバレッジ範囲内に他の数の端末装置が含まれてもよく、本願の実施例は限定しない。
【００５２】
好ましくは、該無線通信システム１００はさらにネットワークコントローラ、移動管理エンティティ等の他のネットワークエンティティを備えてもよく、本願の実施例は限定しない。
【００５３】
なお、本明細書の「システム」及び「ネットワーク」という用語は、本明細書において交換可能に使用されてもよい。本明細書における「及び／又は」という用語は、関連対象の関連関係を説明するためのものにすぎず、以下の３つの関係を示す。例えば、Ａ及び／又はＢは、Ａが単独で存在すること、Ａ及びＢが同時に存在すること、及びＢが単独で存在することを示す。さらに、本明細書における「／」という記号は、一般的に前後にある関連対象が「又は」の関係であることを示す。
【００５４】
図２は、本願の実施例による無線通信方法２００の模式的なフローチャートである。好ましくは、該方法２００は図１に示されるシステムに適用されてもよいが、それに限定されない。好ましくは、該方法２００は端末装置によって実行されてもよい。該方法２００は以下の内容の少なくとも一部を含む。
【００５５】
２１０において、端末装置は、スケジューリングリソースのリソースインデックスを指示するためのダウンリンク制御情報（Ｄｏｗｎｌｉｎｋ  Ｃｏｎｔｒｏｌ  Ｉｎｆｏｒｍａｔｉｏｎ：ＤＣＩ）における複数の指示ビットの指示フォーマットを決定し、前記指示フォーマットは、複数の指示ビットにおけるビット数Ｋを限定するために使用され、前記ビット数Ｋは、スケジューリングリソースに対応するリソース集合、又はスケジューリングリソースに対応するリソースタイプ、又はスケジューリングリソースに対応するチャネルフォーマットを指示するために使用され、Ｋは０以上の整数である。
【００５６】
具体的には、端末装置は複数種の指示フォーマットを有するＤＣＩをサポートでき、端末装置が複数種の指示フォーマットから、受信された又は受信対象のＤＣＩの指示フォーマットを決定でき、該指示フォーマットは、複数の指示ビットのうち、スケジューリングリソースに対応するリソース集合又はリソースタイプ又はチャネルフォーマットを指示するビット数Ｋを限定するため、端末装置が複数の指示ビットのうち、スケジューリングリソースに対応するリソース集合又はリソースタイプ又はチャネルフォーマットを指示するビット数Ｋを取得でき、それにより、複数の指示ビットのうちのＫ個のビットを用いて、スケジューリングリソースに対応するリソース集合、又はリソースタイプ又はチャネルフォーマットを決定できる。
【００５７】
リソース集合が決定された場合、該決定されたリソース集合から、スケジューリングリソースを決定でき、リソースタイプが決定された場合、該決定されたリソースタイプに対応するリソース集合から、スケジューリングリソースを決定でき、チャネルフォーマットが決定された場合、該決定されたチャネルフォーマットに対応するリソース集合から、スケジューリングリソースを決定できる。
【００５８】
好ましくは、複数の指示ビットにおけるリソース集合又はリソースタイプ又はチャネルフォーマットを指示するＫ個のビットの位置が固定であってもよく、例えば、複数の指示ビットのうちの前のＫ個ビット、又は複数の指示ビットのうちの後のＫ個のビット、又は複数の指示ビットの中間のＫ個のビットであってもよい。
【００５９】
好ましくは、該Ｋは１以上であり、該複数の指示ビットは、少なくとも１つの第１のビットと少なくとも１つの第２のビットで構成され、前記第１のビットは、前記スケジューリングリソースに対応するリソース集合のインデックス、前記スケジューリングリソースに対応するリソースタイプのインデックス、又は前記スケジューリングリソースに対応するチャネルフォーマットのインデックスを指示するために使用され、前記第２のビットは、対応するリソース集合における前記スケジューリングリソースのインデックス、対応するリソースタイプに対応するリソース集合における前記スケジューリングリソースのインデックス、又は対応するチャネルフォーマットに対応するリソース集合における前記スケジューリングリソースのインデックスを指示するために使用され、該リソース集合は少なくとも１つの利用可能なリソースを含む。
【００６０】
例えば、３つの指示ビットが存在し、１番目のビットは、スケジューリングリソースに対応するリソース集合のインデックス、又はスケジューリングリソースに対応するリソースタイプのインデックス、又はスケジューリングリソースに対応するチャネルフォーマットのインデックスを指示する。例えば、ビット値が０である場合、スケジューリングリソースに対応するリソース集合がリソース集合１であることを指示し、又はスケジューリングリソースに対応するリソースタイプがリソースタイプ１であることを指示し、又はスケジューリングリソースに対応するチャネルフォーマットがチャネルフォーマット１であることを指示する。ビット値が１である場合、スケジューリングリソースに対応するリソース集合がリソース集合２であることを指示し、又はスケジューリングリソースに対応するリソースタイプがリソースタイプ２であることを指示し、又はスケジューリングリソースに対応するチャネルフォーマットがチャネルフォーマット２であることを指示する。２番目及び３番目のビットは、１番目のビットで指示したリソース集合におけるリソースインデックス、又は１番目のビットで指示したチャネルフォーマットに対応するリソース集合におけるリソースインデックス、又は１番目のビットで指示したリソースタイプに対応するリソース集合におけるリソースインデックスを指示する。各リソース集合又はリソースタイプ又はチャネルフォーマットはそれぞれ４つの利用可能なリソースが存在し、この４つの利用可能なリソースのインデックスに対応する各々のリソース集合又はチャネルフォーマット又はリソースタイプが唯一であってもよく、例えば、このリソースのインデックスは００、０１、１０、及び１１であってもよく、２つのリソース集合又はチャネルフォーマット又はリソースタイプの間には同一であってもよく、例えば、２つのリソース集合又はチャネルフォーマット又はリソースタイプに対応するインデックスがそれぞれ００、０１、１０、及び１１である。
【００６１】
好ましくは、該Ｋは０に等しく、該複数の指示ビットは、すべての利用可能なリソースにおける該スケジューリングリソースのインデックスを指示するために使用される第３のビットで構成される。
【００６２】
例えば、すべての利用可能なリソースは８つの利用可能なリソースを含み、該３つのビットは該８つの利用可能なリソースを指示できる。このとき、利用可能なリソースに対してリソースタイプ、チャネルフォーマット又はリソース集合について区別しなくてもよい。
【００６３】
本願をより明確に理解するために、以下、端末装置が指示フォーマットを決定するいくつかの方法を説明する。
【００６４】
一実現方式では、該端末装置が該ネットワーク装置から送信された、該指示フォーマットを指示するために使用される第１の情報を受信する。第１の情報の占用したビット数が指示フォーマットの数に関連付けられる。
【００６５】
具体的には、ネットワーク装置は第１の情報で端末装置ＤＣＩの指示フォーマットを指示し、例えば、Ｋの値を０又は１とする場合、１ビットの情報で端末装置ＤＣＩのフォーマットを指示し、Ｋの値を０、１、２又は３とする場合、２ビットの情報で端末装置ＤＣＩのフォーマットを指示する。
【００６６】
好ましくは、該第１の情報は無線リソース制御（Ｒａｄｉｏ  Ｒｅｓｏｕｒｃｅ  Ｃｏｎｔｒｏｌ：ＲＲＣ）メッセージ又はシステム情報又はブロードキャストチャネルに含まれる。
【００６７】
一実現方式では、該端末装置は利用可能なリソースのリソースインデックスの設定形態に応じて、該指示フォーマットを決定する。
【００６８】
好ましくは、該利用可能なリソースのリソースインデックスが少なくとも２つのリソース集合又は少なくとも２つのチャネルフォーマット又は少なくとも２つのリソースタイプに応じてそれぞれ設定される場合、該Ｋは１以上であり、該少なくとも２つのリソース集合又は該少なくとも２つのチャネルフォーマット又は該少なくとも２つのリソースタイプのリソースインデックスの間には少なくとも１つの同一のリソースインデックスを有する。
【００６９】
好ましくは、該利用可能なリソースのリソースインデックスが少なくとも２つのリソース集合又は少なくとも２つのチャネルフォーマット又は少なくとも２つのリソースタイプに応じてそれぞれ設定されない場合、該Ｋは０に等しく、該利用可能なリソースに同一のリソースインデックスがない。
【００７０】
具体的には、端末装置がネットワーク装置から送信された、利用可能なリソース及び対応するリソースインデックスを構成するために使用される第２の情報を受信することができ、端末装置は利用可能なリソースのリソースインデックスの設定形態に応じて指示フォーマットを決定することができる。端末装置はリソースインデックスが少なくとも２つのリソース集合又は少なくとも２つのチャネルフォーマット又は少なくとも２つのリソースタイプに応じてそれぞれ設定され、例えば、リソース集合１のインデックスがそれぞれ００、０１、１０、及び１１であり、及びリソース集合２のインデックスがそれぞれ００、０１、１０、及び１１である場合、Ｋは１以上であり、Ｋの値がリソース集合、チャネルフォーマット又はリソースタイプの数に関連付けられ、例えば、設定されるインデックスが４つのリソース集合、チャネルフォーマット又はリソースタイプに応じて設定され、Ｋの値は２であってもよい。端末装置はリソースインデックスが少なくとも２つのリソース集合又は少なくとも２つのチャネルフォーマット又は少なくとも２つのリソースタイプに応じてそれぞれ設定されないと決定し、例えば、リソースのインデックスがそれぞれ０００、００１、０１０、０１１、１００、１０１、１１０、及び１１１である場合、Ｋは０に等しい。
【００７１】
好ましくは、本願の実施例では、該第２の情報はＲＲＣシグナリング、システム情報又はブロードキャストメッセージに含まれる。
【００７２】
一実現方式では、該端末装置が利用可能なリソースの少なくとも２つのリソース集合又は少なくとも２つのチャネルフォーマット又は少なくとも２つのリソースタイプに含まれるリソースの数の関係に基づいて、指示フォーマットを決定する。
【００７３】
具体的には、端末装置は利用可能なリソースの少なくとも２つのリソース集合又は少なくとも２つのチャネルフォーマット又は少なくとも２つのリソースタイプに含まれるリソースの数の関係に基づいて、複数の指示フォーマットから、指示フォーマットを決定することができる。
【００７４】
好ましくは、該少なくとも２つのリソース集合又は該少なくとも２つのチャネルフォーマット又は該少なくとも２つのリソースタイプに含まれるリソースの数の差が特定の値以下である場合、該Ｋは１以上である。
【００７５】
好ましくは、該少なくとも２つのリソース集合又は該少なくとも２つのチャネルフォーマット又は該少なくとも２つのリソースタイプに含まれるリソースの数の差が特定の値より大きい場合、該Ｋは０に等しい。
【００７６】
具体的には、端末装置は少なくとも２つのリソース集合又は該少なくとも２つのチャネルフォーマット又は該少なくとも２つのリソースタイプに含まれるリソースの数の差が特定の値より小さいか否かを判断し、該特定の値は０であってもよく、すなわち、少なくとも２つのリソース集合又は該少なくとも２つのチャネルフォーマット又は該少なくとも２つのリソースタイプに含まれるリソースの数が同一であるか否かを判断する。
【００７７】
特定の値より小さい場合、Ｋが１以上である場合、Ｋの値は所定であってもよく、例えば、１に等しくてもよく、リソース集合又はチャネルフォーマット又はリソースタイプの数に関連付けられてもよく、例えば、２Ｋは該リソース集合又はチャネルフォーマット又はリソースタイプの数に等しくてもよい。特定の値より小さくない場合、Ｋは０に等しい。
【００７８】
Ｋが１以上である場合、各リソース集合又はリソースタイプ又はチャネルフォーマットのリソースのインデックスは予め設定されてもよく、又はネットワーク装置により端末装置に構成されてもよい。端末装置により自動的に決定されてもよい。
【００７９】
例えば、ネットワーク装置がすべての利用可能なリソースのインデックスを構成し、且つインデックスが互いに重ねず、端末装置がＫが１以上であると決定する場合、各集合又はリソースタイプ又はチャネルフォーマットのリソースのインデックスを再決定することができ、例えば、すべての利用可能なリソースにおける各集合又はリソースタイプ又はチャネルフォーマットのリソースのインデックス配列順序に応じて、該集合又はリソースタイプ又はチャネルフォーマットのリソースのインデックスを０から再配置する。
【００８０】
例えば、ネットワーク装置はそれぞれ各リソース集合又はリソースタイプ又はチャネルフォーマットに対してそれぞれインデックスを構成するように構成され、且つインデックスが重複し、Ｋが０に等しいと決定した場合、端末装置はすべてのリソースのインデックスを再決定することができ、例えば、各集合又はリソースタイプ又はチャネルフォーマットのリソースが位置する集合のインデックス配列順序に応じて、該集合又はすべての利用可能なリソースにおけるリソースタイプ又はチャネルフォーマットのリソースのインデックスを０から再配置する。
【００８１】
好ましくは、該少なくとも２つのリソース集合又は該少なくとも２つのチャネルフォーマット又は該少なくとも２つのリソースタイプに含まれるリソースの数がいずれも２Ｍ／Ｎ以下である場合、該Ｋは１以上であり、Ｎはリソース集合又はリソースタイプ又はチャネルフォーマットの数であり、Ｍは該複数の指示ビットのビット数であり、又は、２Ｍ／Ｎは各リソース集合又はリソースタイプ又はチャネルフォーマットである。
【００８２】
好ましくは、該少なくとも２つのリソース集合又は該少なくとも２つのチャネルフォーマット又は該少なくとも２つのリソースタイプには、２Ｍ／Ｎより大きい数のリソースが含まれるリソース集合又はチャネルフォーマット又はリソースタイプが少なくとも１つ存在する場合、該Ｋは０に等しい。
【００８３】
具体的には、リソース集合又はリソースタイプ又はチャネルフォーマットの数がＮであり、指示ビットの数がＭであり、各リソース集合又はチャネルフォーマット又はリソースタイプのリソースの数が２Ｍ／Ｎ以下である場合、リソース集合又はリソースタイプ又はチャネルフォーマットを指示し、リソース集合又はリソースタイプ又はチャネルフォーマットにおけるリソースを指示する方法を用いる場合、各リソースはいずれも合理的に指示され、リソース集合又はチャネルフォーマット又はリソースタイプのリソースの数が２Ｍ／Ｎより大きい場合、リソース集合又はリソースタイプ又はチャネルフォーマットを指示し、リソース集合又はリソースタイプ又はチャネルフォーマットにおけるリソースを指示する方法を用いる場合、一部のリソースが指示できない恐れがある。
【００８４】
好ましくは、該少なくとも２つのリソース集合又は少なくとも２つのチャネルフォーマット又は少なくとも２つのリソースタイプを特定の組合せに組み合わせる組合せの数Ｓを決定し、該特定の組合せのリソースの数は２Ｍ／Ｓ以下であり、Ｍは該複数の指示ビットのビット数であり、該数Ｓに基づき、該Ｋを決定する。
【００８５】
具体的には、端末装置は各リソース集合又はチャネルフォーマット又はリソースタイプのリソースの数に基づいて、リソース集合又はチャネルフォーマット又はリソースタイプを組み合わせることができ、組み合わせた後の各組合せのリソースの数は２Ｍ／Ｓ以下である条件を満たし、満たす場合、組み合わせ、満たさない場合、組み合わせなくてもよく、組み合わせて数Ｓを得ると、Ｋを決定し、決定されたＫは２ＫがＳ以上であることを満たす。
【００８６】
好ましくは、該少なくとも２つのリソース集合は、フォーマット０に対応する物理アップリンク制御チャンネル（ＰＵＣＣＨ）リソース集合と、フォーマット１に対応するＰＵＣＣＨリソース集合と、を含む。
【００８７】
好ましくは、該少なくとも２つのリソース集合は、フォーマット２に対応するＰＵＣＣＨリソース集合と、フォーマット３に対応するＰＵＣＣＨリソース集合と、フォーマット４に対応するＰＵＣＣＨリソース集合と、を含む。
【００８８】
好ましくは、本願の実施例のリソースタイプは以下の方式で分割されてもよい。
【００８９】
一実現方式では、含まれるチャネルの占用したシンボルの長さに応じて分割し、例えば、リソースタイプをｌｏｎｇ  ＰＵＣＣＨが含まれるリソース、及びｓｈｏｒｔ  ＰＵＣＣＨが含まれるリソースに分割してもよい。
【００９０】
一実現方式では、含まれるチャネルの負荷に応じて分割してもよく、例えば、高負荷のＰＵＣＣＨ（例えば、負荷が４ビット以上である）が含まれるリソース、及び低負荷のＰＵＣＣＨ（例えば、負荷が４ビットより小さい）のリソースに分割してもよい。
【００９１】
一実現方式では、含まれるチャネルの時間スケジューリングユニットの粒度に応じて分割してもよく、例えば、スロットスケジューリングに基づくチャネルが含まれるリソース、及び非スロットスケジューリングに基づくチャネルが含まれるリソースに分割してもよい。
【００９２】
好ましくは、本願の実施例に記載の利用可能なリソース又はスケジューリングリソースはＰＵＣＣＨリソース、物理ダウンリンク共有チャネル（Ｐｈｙｓｉｃａｌ  Ｄｏｗｎｌｉｎｋ  Ｓｈａｒｅｄ  Ｃｈａｎｎｅｌ：ＰＤＳＣＨ）リソース又は物理アップリンク共有チャネル（Ｐｈｙｓｉｃａｌ  Ｕｐｌｉｎｋ  Ｓｈａｒｅｄ  Ｃｈａｎｎｅｌ：ＰＵＳＣＨ）リソースである。
【００９３】
好ましくは、本願の実施例では、Ｋが１以上である場合、リソースはパケットに分けて指示することでき、リソースの規則的な指示を実現することができる。
【００９４】
好ましくは、Ｋが０に等しい場合、各リソース集合、リソースタイプ又はチャネルフォーマットのリソースの数が異なるため、シグナリングオーバーヘッドが大きく又はリソースが完全に指示されないという問題を避ける。
【００９５】
２２０において、該端末装置は決定された該指示フォーマットに応じて、該ＤＣＩから、該複数の指示ビットが指示したリソースインデックスを決定する。
【００９６】
２３０において、決定された該リソースインデックスに従って、該端末装置は少なくとも１つの利用可能なリソースから、該ネットワーク装置と通信する該スケジューリングリソースを決定する。
【００９７】
本願の実施例では、端末装置は、スケジューリングリソースのリソースインデックスを指示するためのＤＣＩにおける複数の指示ビットの指示フォーマットを決定し、ここで、前記指示フォーマットは、複数の指示ビットにおけるビット数Ｋを限定するために使用され、前記ビット数Ｋは、スケジューリングリソースに対応するリソース集合、又はスケジューリングリソースに対応するリソースタイプ、又はスケジューリングリソースに対応するチャネルフォーマットを指示するために使用され、Ｋは０以上の整数であり、決定された前記指示フォーマットに基づき、前記ＤＣＩから、前記複数の指示ビットが指示したリソースインデックスを決定し、それにより、決定されたリソースインデックスに従って、少なくとも１つの利用可能なリソースから、前記ネットワーク装置と通信する前記スケジューリングリソースを決定する。従って、本願は可変ＤＣＩ構造によりリソースをスケジューリングし、特定のリソースタイプ又はチャネルフォーマットに応じてチャネルで伝送されるリソースを制限しなくてもよく、応用場面に応じて複数種のリソース集合定義方式及び通知方式を柔軟に用いてもよく、ＤＣＩフォーマットの柔軟性と可変性を実現でき、それにより、リソース指示の柔軟性及び信頼性をさらに高める。
【００９８】
図３は本願の実施例による無線通信方法３００の模式的なフローチャートである。図３に示すとおり、該方法３００は以下の内容の少なくとも一部を含む。
【００９９】
３１０において、ネットワーク装置が、スケジューリングリソースのリソースインデックスを指示するためのダウンリンク制御情報（ＤＣＩ）における複数の指示ビットの指示フォーマットを決定し、前記指示フォーマットは、複数の指示ビットにおけるビット数Ｋを限定するために使用され、前記ビット数Ｋは、スケジューリングリソースに対応するリソース集合、又はスケジューリングリソースに対応するリソースタイプ、又はスケジューリングリソースに対応するチャネルフォーマットを指示するために使用され、Ｋは０以上の整数である。
【０１００】
３２０において、該ネットワーク装置は決定された該指示フォーマットに応じて、該ＤＣＩを送信する。
【０１０１】
好ましくは、該Ｋは１以上であり、該複数の指示ビットは、少なくとも１つの第１のビットと少なくとも１つの第２のビットで構成され、前記第１のビットは、前記スケジューリングリソースに対応するリソース集合のインデックス、前記スケジューリングリソースに対応するリソースタイプのインデックス、又は前記スケジューリングリソースに対応するチャネルフォーマットのインデックスを指示するために使用され、前記第２のビットは、対応するリソース集合における前記スケジューリングリソースのインデックス、対応するリソースタイプに対応するリソース集合における前記スケジューリングリソースのインデックス、又は対応するチャネルフォーマットに対応するリソース集合における前記スケジューリングリソースのインデックスを指示するために使用され、該リソース集合は少なくとも１つの利用可能なリソースを含む。
【０１０２】
好ましくは、該Ｋは０に等しく、該複数の指示ビットは、すべての利用可能なリソースにおける該スケジューリングリソースのインデックスを指示するために使用される第３のビットで構成される。
【０１０３】
好ましくは、該ネットワーク装置は該指示フォーマットを指示するために使用される第１の情報を該端末装置に送信する。
【０１０４】
好ましくは、該第１の情報は無線リソース制御（ＲＲＣ）メッセージ又はシステム情報又はブロードキャストチャネルに含まれる。
【０１０５】
好ましくは、該指示フォーマットは該端末装置の利用可能なリソースのリソースインデックスの設計形態に対応する。
【０１０６】
具体的には、ネットワーク装置は、最初に利用可能なリソースのリソースインデックスの設定形態を決定し、決定された設定形態に基づいて、ＤＣＩのフォーマットを決定することができ、又は、ネットワーク装置は、最初にＤＣＩのフォーマットを決定し、ＤＣＩのフォーマットに応じて利用可能なリソースのリソースインデックスの設定形態を設定することができる。
【０１０７】
好ましくは、該利用可能なリソースのリソースインデックスが少なくとも２つのリソース集合又は少なくとも２つのチャネルフォーマット又は少なくとも２つのリソースタイプに応じてそれぞれ設定される場合、該Ｋは１以上であり、該少なくとも２つのリソース集合又は該少なくとも２つのチャネルフォーマット又は該少なくとも２つのリソースタイプのリソースインデックスの間には少なくとも１つの同一のリソースインデックスを有し、又は、
該利用可能なリソースのリソースインデックスが少なくとも２つのリソース集合又は少なくとも２つのチャネルフォーマット又は少なくとも２つのリソースタイプに応じてそれぞれ設定されない場合、該Ｋは０に等しく、該利用可能なリソースに同一のリソースインデックスがない。
【０１０８】
好ましくは、該指示フォーマットは該端末装置の利用可能なリソースの少なくとも２つのリソース集合又は少なくとも２つのチャネルフォーマット又は少なくとも２つのリソースタイプに含まれるリソースの数の関係に対応する。
【０１０９】
具体的には、ネットワーク装置は、最初に少なくとも２つのリソース集合又は少なくとも２つのチャネルフォーマット又は少なくとも２つのリソースタイプに含まれるリソースの数の関係を決定し、決定された数の関係に基づいて、ＤＣＩのフォーマットを決定することができ、又は、ネットワーク装置は、最初にＤＣＩのフォーマットを決定し、ＤＣＩのフォーマットに応じて２つのリソース集合又は少なくとも２つのチャネルフォーマット又は少なくとも２つのリソースタイプに含まれるリソースの数を設定する。
【０１１０】
好ましくは、該少なくとも２つのリソース集合又は該少なくとも２つのチャネルフォーマット又は該少なくとも２つのリソースタイプに含まれるリソースの数が同一である場合、該Ｋは１以上であり、又は、
該少なくとも２つのリソース集合又は該少なくとも２つのチャネルフォーマット又は該少なくとも２つのリソースタイプに含まれるリソースの数が同一ではない場合、該Ｋは０に等しい。
【０１１１】
好ましくは、該少なくとも２つのリソース集合又は該少なくとも２つのチャネルフォーマット又は該少なくとも２つのリソースタイプに含まれるリソースの数がいずれも２Ｍ／Ｎ以下である場合、該Ｋは１以上であり、Ｎはリソース集合又はリソースタイプ又はチャネルフォーマットの数であり、Ｍは該複数の指示ビットのビット数であり、又は、
該少なくとも２つのリソース集合又は該少なくとも２つのチャネルフォーマット又は該少なくとも２つのリソースタイプには、２Ｍ／Ｎより大きい数のリソースが含まれるリソース集合又はチャネルフォーマット又はリソースタイプが少なくとも１つ存在する場合、該Ｋは０に等しい。
【０１１２】
好ましくは、該Ｋは数Ｓに対応し、
該数Ｓは該少なくとも２つのリソース集合又は少なくとも２つのチャネルフォーマット又は少なくとも２つのリソースタイプを特定の組合せに組み合わせる数であり、該特定の組合せのリソースの数は２Ｍ／Ｓ以下であり、Ｍは該複数の指示ビットのビット数である。
【０１１３】
好ましくは、該少なくとも２つのリソース集合は、フォーマット０に対応する物理アップリンク制御チャンネル（ＰＵＣＣＨ）リソース集合と、フォーマット１に対応するＰＵＣＣＨリソース集合と、を含み、又は、
該少なくとも２つのリソース集合は、フォーマット２に対応するＰＵＣＣＨリソース集合と、フォーマット３に対応するＰＵＣＣＨリソース集合と、フォーマット４に対応するＰＵＣＣＨリソース集合と、を含む。
【０１１４】
好ましくは、該ネットワーク装置は利用可能なリソース及び対応するリソースインデックスを構成するために使用される第２の情報を該端末装置に送信する。
【０１１５】
好ましくは、該第２の情報はＲＲＣメッセージ又はシステム情報又はブロードキャストチャネルに含まれる。
【０１１６】
好ましくは、該スケジューリングリソースは、ＰＵＣＣＨリソース、物理ダウンリンク共有チャネル（ＰＤＳＣＨ）リソース又は物理アップリンク共有チャネル（ＰＵＳＣＨ）リソースである。
【０１１７】
本願の実施例では、ネットワーク装置は、スケジューリングリソースのリソースインデックスを指示するためのＤＣＩにおける複数の指示ビットの指示フォーマットを決定し、ここで、前記指示フォーマットは、複数の指示ビットにおけるビット数Ｋを限定するために使用され、前記ビット数Ｋは、スケジューリングリソースに対応するリソース集合、又はスケジューリングリソースに対応するリソースタイプ、又はスケジューリングリソースに対応するチャネルフォーマットを指示するために使用され、Ｋは０以上の整数であり、決定された前記指示フォーマットに基づき、ＤＣＩを送信する。従って、本願は可変ＤＣＩ構造によりリソースをスケジューリングし、特定のリソースタイプ又はチャネルフォーマットに応じてチャネルで伝送されるリソースを制限しなくてもよく、応用場面に応じて複数種のリソース集合定義方式及び通知方式を柔軟に用いてもよく、ＤＣＩフォーマットの柔軟性と可変性を実現でき、それにより、リソース指示の柔軟性及び信頼性をさらに高める。
【０１１８】
図４は本願の実施例による端末装置４００の模式的なブロック図である。図４に示すとおり、該端末装置４００は、スケジューリングリソースのリソースインデックスを指示するためのダウンリンク制御情報（ＤＣＩ）における複数の指示ビットの指示フォーマットを決定するように構成される処理ユニット４１０であって、前記指示フォーマットは、複数の指示ビットにおけるビット数Ｋを限定するために使用され、前記ビット数Ｋは、スケジューリングリソースに対応するリソース集合、又はスケジューリングリソースに対応するリソースタイプ、又はスケジューリングリソースに対応するチャネルフォーマットを指示するために使用され、Ｋは０以上の整数である処理ユニット４１０と、前記ネットワーク装置から送信された前記ＤＣＩを受信するように構成される通信ユニット４２０とを備え、前記処理ユニット４１０は、さらに、決定された前記指示フォーマットに基づき、前記ＤＣＩから、前記複数の指示ビットが指示したリソースインデックスを決定し、決定された前記リソースインデックスに従って、少なくとも１つの利用可能なリソースから、前記ネットワーク装置と通信する前記スケジューリングリソースを決定するように構成される。
【０１１９】
なお、該端末装置４００は方法実施例における端末装置に対応し、方法実施例における端末装置の実行する対応操作を実現することができ、簡潔のために、ここで詳細な説明は省略する。
【０１２０】
図５は本願の実施例によるネットワーク装置５００の模式的なブロック図である。図５に示すとおり、該ネットワーク装置５００は、スケジューリングリソースのリソースインデックスを指示するためのダウンリンク制御情報（ＤＣＩ）における複数の指示ビットの指示フォーマットを決定するように構成される処理ユニット５２０であって、前記指示フォーマットは、複数の指示ビットにおけるビット数Ｋを限定するために使用され、前記ビット数Ｋは、スケジューリングリソースに対応するリソース集合、又はスケジューリングリソースに対応するリソースタイプ、又はスケジューリングリソースに対応するチャネルフォーマットを指示するために使用され、Ｋは０以上の整数である処理ユニット５２０と、決定された前記指示フォーマットに基づき、前記ＤＣＩを送信するように構成される通信ユニット５１０と、を備える。
【０１２１】
なお、該ネットワーク装置５００は方法実施例におけるネットワーク装置に対応し、方法実施例におけるネットワーク装置の実行する対応操作を実現することができ、簡潔のために、ここで詳細な説明は省略する。
【０１２２】
図６は本願の実施例のシステムチップ６００の構造模式図である。図６のシステムチップ６００は入力インターフェース６０１と、出力インターフェース６０２とを備え、前記プロセッサ６０３とメモリ６０４が内部接続通路によって互いに通信し、前記プロセッサ６０３は前記メモリ６０４におけるコードを実行するように構成される。
【０１２３】
好ましくは、前記コードが実行されるときに、前記プロセッサ６０３は方法実施例におけるネットワーク装置により実行された方法を実現する。簡潔のために、ここで詳細な説明は省略する。
【０１２４】
好ましくは、前記コードが実行されるときに、前記プロセッサ６０３は方法実施例における端末装置により実行された方法を実現する。簡潔のために、ここで詳細な説明は省略する。
【０１２５】
図７は本願の実施例による通信装置７００の模式的なブロック図である。図７に示すとおり、該通信装置７００はプロセッサ７１０と、メモリ７２０とを備える。該メモリ７２０はプログラムコードが記憶され、該プロセッサ７１０は該メモリ７２０に記憶されるプログラムコードを実行することができる。
【０１２６】
好ましくは、図７に示すとおり、該通信装置７００は送受信機７３０を備えてもよく、プロセッサ７１０は送受信機７３０の外部通信を制御することができる。
【０１２７】
好ましくは、該プロセッサ７１０はメモリ７２０に記憶されるプログラムコードを呼び出し、方法実施例におけるネットワーク装置の対応操作を実行することができ、簡潔のために、ここで詳細な説明は省略する。
【０１２８】
好ましくは、該プロセッサ７１０はメモリ７２０に記憶されるプログラムコードを呼び出し、方法実施例における端末装置の対応操作を実行することができ、簡潔のために、ここで詳細な説明は省略する。
【０１２９】
なお、本願の実施例のプロセッサは信号処理機能を有する集積回路チップであってもよい。実現過程において、上記方法実施例の各ステップはプロセッサにおけるハードウェアの集積論理回路又はソフトウェア形式の命令で完了してもよい。上記プロセッサは汎用プロセッサ、デジタル信号プロセッサ（Ｄｉｇｉｔａｌ  Ｓｉｇｎａｌ  Ｐｒｏｃｅｓｓｏｒ：ＤＳＰ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）、フィールドプログラム可能ゲートアレイ（Ｆｉｅｌｄ  Ｐｒｏｇｒａｍｍａｂｌｅ  Ｇａｔｅ  Ａｒｒａｙ：ＦＰＧＡ）又は他のプログラム可能ロジックデバイス、個別ゲート又はトランジスタロジック装置、個別ハードウェアコンポーネントであってもよい。本願の実施例に開示される各方法、ステップ及び論理ブロック図を実現又は実行することができる。汎用プロセッサはマイクロプロセッサであってもよく、又は該プロセッサはいかなる通常のプロセッサ等であってもよい。本願の実施例に開示される方法のステップは、ハードウェア復号プロセッサで実行して完了し、又は復号プロセッサにおけるハードウェア及びソフトウェアモジュールの組み合わせで実行して完了すると直接具現されてもよい。ソフトウェアモジュールがランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体がメモリに位置し、プロセッサがメモリにおける情報を読み取り、そのハードウェアと組み合わせて上記方法のステップを完了する。
【０１３０】
なお、本願の実施例におけるメモリは揮発性メモリ又は不揮発性メモリであってもよく、又は、揮発性メモリ及び不揮発性メモリの両方を含んでもよい。不揮発性メモリは読み出し専用メモリ（Ｒｅａｄ−Ｏｎｌｙ  Ｍｅｍｏｒｙ：ＲＯＭ）、プログラム可能読み出し専用メモリ（Ｐｒｏｇｒａｍｍａｂｌｅ  ＲＯＭ、ＰＲＯＭ）、消去可能プログラム可能読み出し専用メモリ（Ｅｒａｓａｂｌｅ  ＰＲＯＭ：ＥＰＲＯＭ）、電気的消去可能プログラム可能読み出し専用メモリ（Ｅｌｅｃｔｒｉｃａｌｌｙ  ＥＰＲＯＭ：ＥＥＰＲＯＭ）又はフラッシュメモリであってもよい。揮発性メモリは外部キャッシュメモリとして使用されるランダムアクセスメモリ（Ｒａｎｄｏｍ  Ａｃｃｅｓｓ  Ｍｅｍｏｒｙ：ＲＡＭ）であってもよい。制限的ではなく、例示的な説明によって、多くの形式のＲＡＭ、例えばスタティックランダムアクセスメモリ（Ｓｔａｔｉｃ  ＲＡＭ：ＳＲＡＭ）、ダイナミックランダムアクセスメモリ（Ｄｙｎａｍｉｃ  ＲＡＭ：ＤＲＡＭ）、シンクロナスダイナミックランダムアクセスメモリ（Ｓｙｎｃｈｒｏｎｏｕｓ  ＤＲＡＭ：ＳＤＲＡＭ）、ダブルデータレートシンクロナスダイナミックランダムアクセスメモリ（Ｄｏｕｂｌｅ  Ｄａｔａ  Ｒａｔｅ  ＳＤＲＡＭ：ＤＤＲ  ＳＤＲＡＭ）、拡張型シンクロナスダイナミックランダムアクセスメモリ（Ｅｎｈａｎｃｅｄ  ＳＤＲＡＭ：ＥＳＤＲＡＭ）、シンクロナス接続ダイナミックランダムアクセスメモリ（Ｓｙｎｃｈｌｉｎｋ  ＤＲＡＭ：ＳＬＤＲＡＭ）及びダイレクトラムバスランダムアクセスメモリ（Ｄｉｒｅｃｔ  Ｒａｍｂｕｓ  ＲＡＭ：ＤＲ  ＲＡＭ）が利用可能である。なお、本明細書に説明されるシステム及び方法のメモリはこれらのメモリ及び任意の他の適切なタイプのメモリを含んでもよいが、それらに限らないように意図される。
【０１３１】
当業者であれば、本明細書に開示される実施例を参照して説明した各例示的なユニット及びアルゴリズムステップは、電子ハードウェア、又はコンピュータソフトウェア及び電子ハードウェアの組み合わせで実現されてもよいと理解される。これらの機能をハードウェア又はソフトウェア方式で実行するかは、技術案の特定応用及び設計制約条件によって決定される。当業者は各特定応用に対して異なる方法で説明される機能を実現することができるが、このような実現は本願の範囲を超えると見なされるべきではない。
【０１３２】
当業者であれば、説明を容易且つ簡単にするために、上記説明されるシステム、装置及びユニットの具体的な動作過程は、上記方法実施例における対応過程を参照してもよく、ここで詳細な説明は省略すると明確に理解される。
【０１３３】
本願に係るいくつかの実施例において、開示されるシステム、装置及び方法は他の方式で実現されてもよいと理解すべきである。例えば、以上に説明される装置実施例は模式的なものに過ぎず、例えば、該ユニットの区別は論理機能上の区別に過ぎず、実際に実現するとき、他の区別方式を用いてもよく、例えば複数のユニット又はコンポーネントは他のシステムに結合又は統合されてもよく、又はいくつかの特徴は省略してもよく、又は実行しなくてもよい。一方、表示又は検討される相互間の結合又は直接結合又は通信接続はいくつかのインターフェース、装置又はユニットによる間接結合又は通信接続であってもよく、電気、機械又は他の形式であってもよい。
【０１３４】
分離部材として説明される前記ユニットは物理的に分離してもよいし、物理的に分離しなくてもよく、ユニットとして表示される部材は物理ユニットであってもよいし、物理ユニットでなくてもよく、つまり、一箇所に位置してもよいし、複数のネットワークユニットに配置されてもよい。実際の必要に応じて、その一部又は全部のユニットを選択して本実施例案の目的を実現してもよい。
【０１３５】
また、本願の各実施例において、各機能ユニットは１つの監視ユニットに統合されてもよく、各ユニットは独立して物理的に存在してもよく、２つ又は２つ以上のユニットは１つのユニットに統合されてもよい。
【０１３６】
前記機能はソフトウェア機能ユニットの形式で実現され、且つ独立した製品として販売又は使用されるとき、１つのコンピュータ可読記憶媒体に記憶されてもよい。このような理解に基づき、本願の技術案の本質又は従来技術に貢献する部分、又は該技術案の一部はソフトウェア製品の形式で具現されてもよく、該コンピュータソフトウェア製品は、１台のコンピュータ装置（パーソナルコンピュータ、サーバ又はネットワーク装置等であってもよい）に本願の各実施例に記載の方法の全部又は一部のステップを実行させるための複数の命令を含む１つの記憶媒体に記憶される。そして、上記記憶媒体は、ＵＳＢメモリ、ポータブルハードディスク、読み出し専用メモリ（Ｒｅａｄ−Ｏｎｌｙ  Ｍｅｍｏｒｙ：ＲＯＭ）、ランダムアクセスメモリ（Ｒａｎｄｏｍ  Ａｃｃｅｓｓ  Ｍｅｍｏｒｙ：ＲＡＭ）、磁気ディスク又は光ディスク等のプログラムコードを記憶できる様々な媒体を含む。
【０１３７】
以上の説明は本願の具体的な実施形態であって、本願の保護範囲を制限するためのものではなく、当業者が本願に開示される技術的範囲内に容易に想到し得る変更や置換は、いずれも本願の保護範囲内に含まれるべきである。従って、本願の保護範囲は特許請求の範囲に準じるべきである。
【図１】
2021503209.tif 000003
【図２】
2021503209.tif 000004
【図３】
2021503209.tif 000005
【図４】
2021503209.tif 000006
【図５】
2021503209.tif 000007
【図６】
2021503209.tif 000008
【図７】
2021503209.tif 000009
【手続補正書】
【提出日】令和2年9月28日(2020.9.28)
【手続補正１】
【補正対象書類名】特許請求の範囲
【補正対象項目名】全文
【補正方法】変更
【補正の内容】
【特許請求の範囲】
【請求項１】
無線通信方法であって、
端末装置が、スケジューリングリソースのリソースインデックスを指示するためのダウンリンク制御情報（ＤＣＩ）におけるＫビットを決定することであって、スケジューリングリソースに対応するリソース集合、又はスケジューリングリソースに対応するリソースタイプ、又はスケジューリングリソースに対応するビット数がＫであり、Ｋは０以上の整数であることと、
前記端末装置が、前記Ｋビットに基づいて、前記Ｋビットによって指示されるリソースインデックスを決定することと、
前記端末装置が、決定された前記リソースインデックスに従って、少なくとも１つの利用可能なリソースから、前記スケジューリングリソースを決定することと、を含むことを特徴とする、前記無線通信方法。
【請求項２】
前記端末装置が前記ネットワーク装置から送信された、利用可能なリソース及び対応するリソースインデックスを構成するために使用される第２の情報を受信することをさらに含むことを特徴とする
請求項１に記載の方法。
【請求項３】
前記第２の情報はＲＲＣメッセージ又はシステム情報又はブロードキャストチャネルに含まれることを特徴とする
請求項２に記載の方法。
【請求項４】
前記スケジューリングリソースは、ＰＵＣＣＨリソース、物理ダウンリンク共有チャネル（ＰＤＳＣＨ）リソース又は物理アップリンク共有チャネル（ＰＵＳＣＨ）リソースであることを特徴とする
請求項１〜３のいずれか１項に記載の方法。
【請求項５】
前記少なくとも１つのリソース集合は、フォーマット０に対応する物理アップリンク制御チャンネル（ＰＵＣＣＨ）リソース集合、及びフォーマット１に対応するＰＵＣＣＨリソース集合のうちの少なくとも１つを含むことを特徴とする
請求項１〜４のいずれか１項に記載の方法。
【請求項６】
前記少なくとも１つのリソース集合は、フォーマット２に対応するＰＵＣＣＨリソース集合、フォーマット３に対応するＰＵＣＣＨリソース集合、及びフォーマット４に対応するＰＵＣＣＨリソース集合のうちの少なくとも１つを含むことを特徴とする
請求項１〜４のいずれか１項に記載の方法。
【請求項７】
前記Ｋビットは、少なくとも１つの第１のビットと少なくとも１つの第２のビットで構成され、
前記第１のビットは、前記スケジューリングリソースに対応するリソース集合のインデックス、前記スケジューリングリソースに対応するリソースタイプのインデックス、又は前記スケジューリングリソースに対応するチャネルフォーマットのインデックスを指示するために使用され、
前記第２のビットは、対応するリソース集合における前記スケジューリングリソースのインデックス、対応するリソースタイプに対応するリソース集合における前記スケジューリングリソースのインデックス、又は対応するチャネルフォーマットに対応するリソース集合における前記スケジューリングリソースのインデックスを指示するために使用され、
前記リソース集合は少なくとも１つの利用可能なリソースを含むことを特徴とする
請求項１〜６のいずれか１項に記載の方法。
【請求項８】
通信装置内の装置であって、
プロセッサと、プログラム命令を記憶するメモリと、を備え、
前記プログラム命令が前記プロセッサによって実行されるとき、前記装置は、
スケジューリングリソースのリソースインデックスを指示するためのダウンリンク制御情報（ＤＣＩ）におけるＫビットを決定することであって、スケジューリングリソースに対応するリソース集合、又はスケジューリングリソースに対応するリソースタイプ、又はスケジューリングリソースに対応するビット数がＫであり、Ｋは０以上の整数であることと、
前記Ｋビットに基づいて、前記Ｋビットによって指示されるリソースインデックスを決定することと、
決定された前記リソースインデックスに従って、少なくとも１つの利用可能なリソースから、前記スケジューリングリソースを決定することと、を実行するように構成されることを特徴とする、前記装置。
【請求項９】
前記プロセッサは、さらに、
第２の情報を受信するように構成され、前記第２の情報は、利用可能なリソース及び対応するリソースインデックスを構成するために使用されることを特徴とする
請求項８に記載の装置。
【請求項１０】
前記第２の情報はＲＲＣメッセージ又はシステム情報又はブロードキャストチャネルに含まれることを特徴とする
請求項９に記載の装置。
【請求項１１】
前記スケジューリングリソースは、ＰＵＣＣＨリソース、物理ダウンリンク共有チャネル（ＰＤＳＣＨ）リソース又は物理アップリンク共有チャネル（ＰＵＳＣＨ）リソースであることを特徴とする
請求項８〜１０のいずれか１項に記載の装置。
【請求項１２】
前記少なくとも１つのリソース集合は、フォーマット０に対応する物理アップリンク制御チャンネル（ＰＵＣＣＨ）リソース集合、及びフォーマット１に対応するＰＵＣＣＨリソース集合のうちの少なくとも１つを含むことを特徴とする
請求項８〜１１のいずれか１項に記載の装置。
【請求項１３】
前記少なくとも１つのリソース集合は、フォーマット２に対応するＰＵＣＣＨリソース集合、フォーマット３に対応するＰＵＣＣＨリソース集合、及びフォーマット４に対応するＰＵＣＣＨリソース集合のうちの少なくとも１つを含むことを特徴とする
請求項８〜１１のいずれか１項に記載の装置。
【請求項１４】
前記Ｋビットは、少なくとも１つの第１のビットと少なくとも１つの第２のビットで構成され、
前記第１のビットは、前記スケジューリングリソースに対応するリソース集合のインデックス、前記スケジューリングリソースに対応するリソースタイプのインデックス、又は前記スケジューリングリソースに対応するチャネルフォーマットのインデックスを指示するために使用され、
前記第２のビットは、対応するリソース集合における前記スケジューリングリソースのインデックス、対応するリソースタイプに対応するリソース集合における前記スケジューリングリソースのインデックス、又は対応するチャネルフォーマットに対応するリソース集合における前記スケジューリングリソースのインデックスを指示するために使用され、
前記リソース集合は少なくとも１つの利用可能なリソースを含むことを特徴とする
請求項８〜１３のいずれか１項に記載の装置。
【請求項１５】
前記装置がマイクロチップであり、前記通信装置が基地局又はユーザ端末であることを特徴とする
請求項８〜１４のいずれか１項に記載の装置。
【請求項１６】
通信装置内のプロセッサによって実行されるプログラムコードを記憶するコンピュータ可読媒体であって、
前記プログラムコードは、請求項１〜７のいずれか１項に記載の方法を実行するための命令を含むことを特徴とする、前記コンピュータ可読媒体。
【国際調査報告】
2021503209.tif 000010
2021503209.tif 000011
2021503209.tif 000012
2021503209.tif 000013